(57)【特許請求の範囲】
【請求項１】
スタート入賞口にパチンコ玉が入賞することに応じて動作を開始する特賞用役物を備えたパチンコゲーム機の稼働を管理する稼働管理装置において、
前記パチンコゲーム機の稼働状況を検出する稼働状況検出手段と、
前記特賞用役物の動作状況を検出する動作状況検出手段と、
前記稼働状況検出手段による検出結果および動作状況検出手段による検出結果に基づいて前記パチンコゲーム機の稼働中に前記特賞用役物が停止する毎にその停止時間を測定する停止時間測定手段と、
この停止時間測定手段による測定結果を出力する出力手段とを備えたことを特徴とするパチンコゲーム機の稼働管理装置。
【請求項２】
前記出力手段は、前記停止時間測定手段が測定した停止時間の分布を示す分布データもしくは分布の分散度を示す分散指標をパチンコゲーム機に対応させて出力することを特徴とする請求項１記載のパチンコゲーム機の稼働管理装置。
【請求項３】
前記出力手段は、前記分布データもしくは分散指標を複数段階に区切られた時間幅に対応させて出力することを特徴とする請求項１または２記載のパチンコゲーム機の稼働管理装置。
【請求項４】
前記停止時間測定手段は、所定時間あたりの停止時間を示す平均停止時間を測定することを特徴とする請求項１ないし３のいずれかに記載のパチンコゲーム機の稼働管理装置。
【発明の詳細な説明】
【０００１】
【発明の属する技術分野】
本発明は、スタート入賞口にパチンコ玉が入賞することに応じて動作を開始する特賞用役物を備えたパチンコゲーム機の稼働を管理するパチンコゲーム機の稼働管理装置に関する。
【０００２】
【発明が解決しようとする課題】
一般に特賞台と呼ばれるパチンコゲーム機としては、盤面に打込まれたパチンコ玉がスタート入賞口に入賞する毎に表示役物（特賞用役物）に表示されている３桁の数字を更新表示する所謂セブン機、あるいは盤面に打込まれたパチンコ玉を特定の入賞口に案内するための羽根（特賞用役物）を所定回数開閉する所謂羽根物などが供されている。
【０００３】
ところで、この場合、特賞用役物が動作を開始する時間間隔のばらつきが大きいと、特賞用役物が集中的に動作を開始したり、特賞用役物が全く動作を開始しなかったりすることになる。このように特賞用役物が極端に集中・分散して動作を開始するパチンコゲーム機では、遊技客が遊技に飽き易くなって敬遠気味となることから、パチンコゲーム機の稼働率が低下してパチンコホールの経営悪化の要因となる。
【０００４】
したがって、パチンコホール側では、パチンコゲーム機毎に特賞用役物が動作を開始する時間間隔を把握し、極端なばらつきが生じないようにパチンコゲーム機の釘調整を行うことが経営上重要な指針となっている。具体的な方法としては、パチンコホール側では、スタート入賞口にパチンコ玉が入賞して特賞用役物が動作を開始したときにパチンコ台から出力されるスタート信号を監視し、スタート信号が出力される時間間隔を測定することにより、特賞用役物が動作を開始する時間間隔のばらつきを把握し、それにより得られたデータに基づいてパチンコゲーム機の釘調整を行っていた。
【０００５】
さて、遊技客は、一般的には、特賞用役物が動作している間は遊技に対する集中力が高まるが、その一方で、特賞用役物が動作していない間（停止している間）は遊技に対する集中力が低下する傾向にある。そのため、遊技客は、特賞用役物が停止している時間が長くなると、実際には特賞用役物が動作を開始する時間間隔のばらつきが小さいにも拘らず、ばらつきが大きいと実感することになり、遊技に飽き易くなってしまうという場合があった。
【０００６】
しかしながら、従来のものは、上記したようにスタート信号が出力される時間間隔を測定することにより特賞用役物が動作を開始する時間間隔のばらつきを把握することはできるが、特賞用役物が停止している時間を把握することができないため、このような問題に対しては、十分に対応することができなかった。
【０００７】
本発明は、上記した事情に鑑みてなされたものであり、その目的は、パチンコゲーム機毎に特賞用役物が停止している時間を示すデータを出力することができ、それによって、特賞用役物が停止している時間のばらつきが大きいパチンコゲーム機を発見することができるパチンコゲーム機の稼働管理装置を提供することにある。
【０００８】
【課題を解決するための手段】
本発明のパチンコゲーム機の稼働管理装置は、
スタート入賞口にパチンコ玉が入賞することに応じて動作を開始する特賞用役物を備えたパチンコゲーム機の稼働を管理するものにおいて、
前記パチンコゲーム機の稼働状況を検出する稼働状況検出手段と、
前記特賞用役物の動作状況を検出する動作状況検出手段と、
前記稼働状況検出手段による検出結果および動作状況検出手段による検出結果に基づいて前記パチンコゲーム機の稼働中に前記特賞用役物が停止する毎にその停止時間を測定する停止時間測定手段と、
この停止時間測定手段による測定結果を出力する出力手段とを備えて構成したところに特徴を有する（請求項１）。
【０００９】
上記したパチンコゲーム機の稼働管理装置によれば、停止時間測定手段は、稼働状況検出手段による検出結果および動作状況検出手段による検出結果に基づいて、パチンコゲーム機の稼働中に特賞用役物が停止する毎にその停止時間を測定する。そして、出力手段は、停止時間測定手段が測定した測定結果を出力する。したがって、このようにして出力された測定結果に基づいて、特賞用役物が動作を停止している停止時間のばらつきが大きいパチンコゲーム機を発見することができ、パチンコゲーム機の釘調整を適切に行うことにより、パチンコゲーム機の稼働を高めることができる。
【００１０】
また、上記したパチンコゲーム機の稼働管理装置において、
前記出力手段を、前記停止時間測定手段が測定した停止時間の分布を示す分布データもしくは分布の分散度を示す分散指標をパチンコゲーム機に対応させて出力するように構成しても良い（請求項２）。
これにより、測定結果として、停止時間の分布を示す分布データもしくは分布の分散度を示す分散指標をパチンコゲーム機に対応して得ることができ、パチンコゲーム機の釘調整をより適切に行うことができる。
【００１１】
また、上記したパチンコゲーム機の稼働管理装置において、
前記出力手段を、前記分布データもしくは分散指標を複数段階に区切られた時間幅に対応させて出力するように構成しても良い（請求項３）。
これにより、特賞用役物が停止する状態の発生頻度を適切に把握することができ、パチンコゲーム機の釘調整をより適切に行うことができる。
【００１２】
さらに、上記したパチンコゲーム機の稼働管理装置において、
前記停止時間測定手段を、所定時間あたりの停止時間を示す平均停止時間を測定するように構成しても良い（請求項４）。
これにより、特賞用役物が停止している平均停止時間を適切に把握することができ、パチンコゲーム機の釘調整をより適切に行うことができる。
【００１３】
【発明の実施の形態】
以下、本発明の一実施例について図面を参照して説明する。
図２は、全体構成を概略的に示している。図２において、各パチンコゲーム機１には、１対１で対応して玉貸ユニット２が設けられており、集中管理装置３（本発明でいう稼働管理装置）は、パチンコゲーム機１の稼働状況を管理すると共に、玉貸ユニット２の売上を管理するようになっている。
【００１４】
図３は、パチンコゲーム機１の盤面を示している。図３において、盤面４には、一般入賞口５が設けられており、この一般入賞口５にパチンコ玉が入賞したときには、所定個数のパチンコ玉が払出されるようになっている。また、盤面４には、液晶表示器６（本発明でいう特賞用役物）、スタート入賞口７および大口入賞口８が設けられており、スタート入賞口７にパチンコ玉が入賞したときには、液晶表示器６に表示されている３桁の数字が更新表示され、更新表示された３桁の数字が特賞数字と一致したときには、大口入賞口８が開口して入賞確率が極めて高い特賞状態を呈するようになっている。
【００１５】
さらに、盤面４には、誘導釘９が設けられており、これら誘導釘９を釘調整することにより、スタート入賞口７にパチンコ玉を安定して誘導することができるようになっている。また、スタート入賞口７の上方には、２本の入賞釘１０が設けられており、これら入賞釘１０の間隔を調整することにより、スタート入賞口７に誘導されるパチンコ玉の入賞度合いを決定することができるようになっている。すなわち、盤面４に発射されたパチンコ玉がスタート入賞口７に入賞する確率は、誘導釘９および入賞釘１０に対する釘調整の相関関係により最終的に決定することができるようになっている。
【００１６】
図１は、上記パチンコゲーム機１および集中管理装置３の電気的な構成の要部を機能ブロック図として示し、また、それらの間で送受信される各種信号を示している。パチンコゲーム機１の情報出力部１１は、パチンコゲーム機１が稼働しているときには、稼働信号を集中管理装置３の情報入力部１２に出力し、スタート入賞口７にパチンコ玉が入賞し、液晶表示器６の３桁の数字が更新表示されているときには、スタート信号を集中管理装置３の情報入力部１２に出力し、特賞状態になっているときには、特賞信号を集中管理装置３の情報入力部１２に出力するようになっている。
【００１７】
セーフ玉計数器１３は、例えばパチンコゲーム機１にパチンコ玉を１０個補給する毎に、セーフ玉数信号を集中管理装置３の情報入力部１２に出力するようになっており、アウト玉計数器１４は、例えばパチンコゲーム機１からパチンコ玉を１０個回収する毎に、アウト玉数信号を集中管理装置３の情報入力部１２に出力するようになっている。
【００１８】
集中管理装置３の制御装置１５（本発明でいう稼働状況検出手段、動作状況検出手段、停止時間測定手段および出力手段）は、あらかじめ記憶されたプログラムを実行するもので、例えばキーボードなどにより構成される操作部１６から所定の操作信号が与えられると、パチンコゲーム機１から与えられる上記各種信号（稼働信号、スタート信号、特賞信号、セーフ玉数信号およびアウト玉数信号）に基づいて、詳しくは以下（１），（２）に説明する計時処理を実行し、その結果を示す比較表を例えばＣＲＴディスプレイやプリンタなどにより構成される出力部１７を通じて出力するようになっている。
【００１９】
（１）スタート停止時間の計時処理
パチンコゲーム機１が稼働しているときに、液晶表示器６の３桁の数字が更新表示されていない時間、つまり、特賞用役物が動作を停止している時間（スタート停止時間）を計時し、所定時間内（例えば１分間）におけるスタート停止時間の分布を算出すると共に、所定時間内（例えば１分間）における平均スタート停止時間を算出する。
（２）スタート連続時間の計時処理
パチンコゲーム機１が稼働しているときに、液晶表示器６の３桁の数字が更新表示されている時間、つまり、特賞用役物が連続動作している時間（スタート連続時間）を計時し、スタート連続時間の分布を算出すると共に、所定時間内（例えば１分間）における平均スタート停止時間を算出する。
【００２０】
次に、上記構成の作用について、特には、集中管理装置３の制御装置１５が実行する上記（１），（２）の計時処理について説明する。
（１）スタート停止時間の計時処理
まず、「（１）スタート停止時間の計時処理」について、図４ないし図６を参照して説明する。図４は、制御装置１５が実行する処理をフローチャートとして示しており、図５は、制御装置１５が入力する稼働信号、スタート信号および特賞信号の入力状態などをタイムチャートとして示しており、図６は、この「（１）スタート停止時間の計時処理」を実行することにより得られた比較表を示している。
【００２１】
さて、パチンコホールが営業を開始し（開店し）、集中管理装置３が稼働すると、集中管理装置３の制御装置１５は、遊技客がパチンコゲーム１で遊技を開始したか否かを、稼働信号を入力しているか否かに基づいて判断する（ステップＳ１）。
【００２２】
ここで、最初（１人目）の遊技客がパチンコゲーム１で遊技を開始すると、御装置１５は、稼働信号を入力するようになるので（図５中、ｔ1 参照）、ステップＳ１において「ＹＥＳ」と判断する。次いで、制御装置１５は、特賞状態となっているか否かを、特賞信号を入力しているか否かに基づいて判断する（ステップＳ２）。この場合、遊技客が遊技を開始した直後では、特賞状態となっていることはなく、制御装置１５は、特賞信号を入力していないので、ステップＳ２において「ＮＯ」と判断する。
【００２３】
次いで、制御装置１５は、スタート入賞口７にパチンコ玉が入賞したか否かを、スタート信号を入力しているか否かに基づいて判断する（ステップＳ３）。この場合も、遊技客が遊技を開始した直後では、スタート入賞口７にパチンコ玉が入賞することはなく、制御装置１５は、スタート信号を入力していないので、ステップＳ３において「ＮＯ」と判断する。
【００２４】
次いで、制御装置１５は、スタート停止時間の計時中であるか否かを判断する（ステップＳ４）。ここでは、スタート停止時間の計時を開始しておらず、スタート停止時間の計時中ではないので、制御装置１５は、ステップＳ４において「ＮＯ」と判断する。次いで、制御装置１５は、スタート停止時間の計時を中断中であるか否かを判断する（ステップＳ５）。ここでは、スタート停止時間の計時を中断中ではないので、制御装置１５は、ステップＳ５において「ＮＯ」と判断する。そして、制御装置１５は、スタート停止時間の計時を開始し（ステップＳ６）、ステップＳ１に戻る。
【００２５】
ここで、遊技客が遊技している遊技中に、スタート入賞口７にパチンコ玉が入賞しない間は、制御装置１５は、ステップＳ１〜Ｓ４の処理を繰返し実行することになり、つまり、スタート停止時間の計時を継続することになる。
【００２６】
さて、遊技客が遊技している遊技中に、スタート入賞口７にパチンコ玉が入賞し、液晶表示器６の３桁の数字が更新表示されると、制御装置１５は、スタート信号を入力するようになるので（図５中、ｔ2 参照）、ステップＳ３において「ＹＥＳ」と判断し、スタート停止時間の計時中であるか否かを判断する（ステップＳ７）。ここでは、制御装置１５は、上記したようにスタート停止時間の計時を開始しており、スタート停止時間の計時中であるので、ステップＳ７において「ＹＥＳ」と判断し、スタート停止時間の計時を停止する（ステップＳ８）。
【００２７】
次いで、制御装置１５は、スタート停止時間として、この場合であれは、図５中、ｔ1 〜ｔ2 に相当する時間を記憶する記憶処理を実行する（ステップＳ９）。このようにして、制御装置１５は、スタート入賞口７にパチンコ玉が入賞したときには、その毎に、それよりも以前に液晶表示器６の３桁の数字が更新表示されていなかった時間、つまり、特賞用役物が動作を停止していた時間をスタート停止時間として記憶する。そして、制御装置１５は、計時をリセットし（ステップＳ１０）、ステップＳ１に戻る。
【００２８】
さて、スタート入賞口７にパチンコ玉が入賞しなくなり、液晶表示器６の３桁の数字が更新表示されなくなると、制御装置１５は、スタート信号を入力しなくなるので（図５中、ｔ3 参照）、ステップＳ３において「ＮＯ」と判断し、ステップＳ４において「ＮＯ」と判断し、さらには、ステップＳ５において「ＮＯ」と判断し、スタート停止時間の計時を再度開始し（ステップＳ６）、ステップＳ１に戻る。
【００２９】
これ以降、制御装置１５は、これと同様にして、スタート停止時間として、この場合であれば、図５中、ｔ3 〜ｔ4 ，ｔ5 〜ｔ6 およびｔ7 〜ｔ8 に相当する時間を記憶する。
【００３０】
また、液晶表示器６に表示されている３桁の数字が更新表示され、更新表示された３桁の数字が特賞数字と一致して特賞状態となると、制御装置１５は、特賞信号を入力するようになるので（図５中、ｔ9 参照）、ステップＳ２において「ＹＥＳ」と判断し、スタート停止時間の計時中であるか否かを判断する（ステップＳ１１）。ここでは、制御装置１５は、スタート停止時間の計時中ではないので、ステップＳ１１において「ＮＯ」と判断し、ステップＳ１に戻る。
【００３１】
そして、特賞状態でなくなると、制御装置１５は、特賞信号を入力しなくなるので（図５中、ｔ10参照）、ステップＳ２において「ＮＯ」と判断し、ステップＳ３において「ＮＯ」と判断し、ステップＳ４において「ＮＯ」と判断し、さらには、ステップＳ５において「ＮＯ」と判断し、スタート停止時間の計時を再度開始し（ステップＳ６）、ステップＳ１に戻る。
【００３２】
また、最初（１人目）の遊技客が遊技を中断したり終了すると、制御装置１５は、稼働信号を入力しなくなるので、ステップＳ１において「ＮＯ」と判断し、スタート停止時間の計時中であるか否かを判断する（ステップＳ１１）。ここでは、制御装置１５は、スタート停止時間の計時中であるので、ステップＳ１１において「ＹＥＳ」と判断し、スタート停止時間の計時を中断する（ステップＳ１２）。
【００３３】
次いで、制御装置１５は、スタート停止時間として、この場合であれは、図５中、ｔ10〜ｔ11に相当する時間を記憶する記憶処理を実行する（ステップＳ１３）。このようにして、制御装置１５は、遊技客が遊技を中断したり終了したときには、その毎に、それよりも以前に液晶表示器６の３桁の数字が更新表示されていなかった時間、つまり、特賞用役物が動作を停止していた時間をスタート停止時間として記憶する。そして、制御装置１５は、計時をリセットし（ステップＳ１４）、ステップＳ１に戻る。
【００３４】
以上に説明したように、制御装置１５は、遊技客が遊技している時間のうち特賞用役物が停止している時間、この場合であれば、図５中、ｔ1 〜ｔ2 ，ｔ3 〜ｔ4 ，ｔ5 〜ｔ6 ，ｔ7 〜ｔ8 およびｔ10〜ｔ11に相当する時間をスタート停止時間として得ることができる。
【００３５】
さて、最初（１人目）の遊技客が遊技を再開するまでの間、もしくは次の（２人目）の遊技客が遊技を開始するまでの間は、制御装置１５は、ステップＳ１，Ｓ１１の処理を繰返し実行することになる。ここで、最初（１人目）の遊技客が遊技を再開する、もしくは次の（２人目）の遊技客が遊技を開始すると、制御装置１５は、ステップＳ１において「ＹＥＳ」と判断し、ステップＳ２において「ＮＯ」と判断し、ステップＳ３において「ＮＯ」と判断し、ステップＳ４において「ＮＯ」と判断し、この場合は、スタート停止時間の計時を中断中であるので、ステップＳ５において「ＹＥＳ」と判断し、スタート停止時間の計時の中断を解除し（ステップＳ１５）、ステップＳ１に戻り、これ以降、上記した処理を実行する。このようにして、制御装置１５は、これ以降も、特賞用役物が停止している時間をスタート停止時間として得ることができる。すなわち、制御装置１５は、パチンコホールが営業している間は、このような処理を繰返し実行することにより、パチンコゲーム機１におけるスタート停止時間のデータを得ることができる。
【００３６】
さて、制御装置１５は、操作部１６が操作され、操作部１６から所定の操作信号が与えられると、以上のようにして得られたスタート停止時間のデータを集計し、図６に示す比較表を出力部１７を通じて出力するようになっている。具体的には、制御装置１５は、１分間におけるスタート停止時間の分布を算出すると共に、１分間における平均スタート停止時間を算出し、それらを出力するようになっている。
【００３７】
図６において、台番号１のパチンコゲーム機１は、稼働時間が６５０分であり、そのうち、１分間に特賞用役物が一度も停止しなかった回数の割合が３５％、１分間に特賞用役物が停止した時間が５秒未満である回数の割合が１５％、１分間に特賞用役物が停止した時間が５秒以上１０秒未満である回数の割合が１６％、１分間に特賞用役物が停止した時間が１０秒以上１５秒未満である回数の割合が９％、１分間に特賞用役物が停止した時間が１５秒以上２０秒未満である回数の割合が６％、１分間に特賞用役物が停止した時間が２０秒以上２５秒未満である回数の割合が４％、１分間に特賞用役物が停止した時間が２５秒以上である回数の割合が１５％であることが示されている。また、台番号１のパチンコゲーム機１は、１分間における平均スタート停止時間が８．０秒であることが示されている。
【００３８】
したがって、以上のようにして、パチンコゲーム機１毎に、稼働中に特賞用役物が停止しているスタート停止時間の分布を示すデータを得ることができる。そして、このようにして得られたデータに基づいて、スタート停止時間のばらつきが大きいパチンコゲーム機１を発見することができ、パチンコゲーム機１の釘調整を適切に行うことにより、パチンコゲーム機１の稼働を高めることが可能となる。
【００３９】
（２）スタート連続時間の計時処理
次に、「（２）スタート連続時間の計時処理」について、上述した図５、図７および図８を参照して説明する。図７は、制御装置１５が実行する処理をフローチャートとして示しており、図８は、この「（２）スタート連続時間の計時処理」を実行することにより得られた比較表を示している。
【００４０】
ここでは、遊技客が遊技している遊技中に、スタート入賞口７にパチンコ玉が入賞し、液晶表示器６の３桁の数字が更新表示されると、制御装置１５は、スタート信号を入力するようになるので（図５中、ｔ2 参照）、ステップＳ２１において「ＹＥＳ」と判断し、ステップＳ２２において「ＮＯ」と判断し、ステップＳ２３において「ＹＥＳ」と判断し、さらには、スタート連続時間の計時中でないときには、ステップＳ２４において「ＮＯ」と判断し、スタート連続時間の計時を開始し（ステップＳ２５）、ステップＳ２１に戻る。
【００４１】
そして、スタート入賞口７にパチンコ玉が入賞しなくなり、液晶表示器６の３桁の数字が更新表示されなくなると、制御装置１５は、スタート信号を入力しなくなるので（図５中、ｔ3 参照）、ステップＳ２３において「ＮＯ」と判断し、スタート連続時間の計時中であるときには、ステップＳ２６において「ＹＥＳ」と判断し、スタート連続時間の計時を停止する（ステップＳ２７）。
【００４２】
次いで、制御装置１５は、スタート連続時間として、この場合であれは、図５中、ｔ2 〜ｔ3 に相当する時間を記憶する記憶処理を実行する（ステップＳ２８）。このようにして、制御装置１５は、スタート連続時間を記憶する。そして、制御装置１５は、計時をリセットし（ステップＳ２９）、ステップＳ２１に戻る。これ以降、制御装置１５は、これと同様にして、スタート連続時間として、この場合であれば、図５中、ｔ4 〜ｔ5 ，ｔ6 〜ｔ7 およびｔ8 〜ｔ9 に相当する時間を記憶する。
【００４３】
さて、この場合においても、制御装置１５は、操作部１６が操作され、操作部１６から所定の操作信号が与えられると、以上のようにして得られたスタート連続時間のデータを集計し、図８に示す比較表を出力するようになっている。具体的には、制御装置１５は、スタート連続時間の分布を算出すると共に、１分間における平均スタート停止時間を算出し、それらを比較表として出力するようになっている。
【００４４】
図８において、台番号１のパチンコゲーム機１は、稼働時間が６５０分であり、そのうち、特賞用役物が連続して動作していた時間が１分未満である回数の割合が４４％、特賞用役物が連続して動作していた時間が１分以上２分未満である回数の割合が２５％、特賞用役物が連続して動作していた時間が２分以上３分未満である回数の割合が１５％、特賞用役物が連続して動作していた時間が３分以上４分未満である回数の割合が６％、特賞用役物が連続して動作していた時間が４分以上である回数の割合が１０％であることが示されている。また、台番号１のパチンコゲーム機１は、１分間における平均スタート停止時間が８．０秒であることが示されている。
【００４５】
したがって、以上のようにして、パチンコゲーム機１毎に、稼働中に特賞用役物が連続動作しているスタート連続時間の分布を示すデータを得ることができる。そして、このようにして得られたデータと、上記「（１）スタート停止時間の計時処理」により得られたデータとを組合わせて得られるデータを活用することにより、パチンコゲーム機１の釘調整をより適切に行うことが可能となる。
【００４６】
このように本実施例によれば、パチンコゲーム機１の稼働中に特賞用役物が停止する毎にスタート停止時間を測定し、スタート停止時間の分布を示す分布データもしくは分布の分散度を示す分散指標をパチンコゲーム機１毎に出力するように構成したので、それら分布データや分散指標に基づいて、スタート停止時間のばらつきが大きいパチンコゲーム機１を発見することができ、パチンコゲーム機１の釘調整を適切に行うことにより、パチンコゲーム機１の稼働を高めることができる。
【００４７】
また、この場合、１分間に特賞用役物が停止した時間を５秒単位で区切って出力するように構成したので、スタート停止状態が発生する頻度を適切に把握することができ、これにより、パチンコゲーム機１の釘調整をより適切に行うことができる。また、１分間における平均スタート停止時間を出力するように構成したので、平均スタート停止時間を適切に把握することができ、これによっても、パチンコゲーム機１の釘調整をより適切に行うことができる
本発明は、上記した実施例にのみ限定されるものでなく、次のように変形または拡張することができる。
スタート停止時間の分布を示す時間間隔を５秒に設定することに限らず、また、スタート連続時間の分布を示す時間間隔を１分に設定することに限らず、それらを任意に設定しても良い。
３桁の数字が更新表示されるセブン機に限らず、羽根物などの他の特賞台に適用しても良い。
【００４８】
【発明の効果】
以上の説明によって明らかなように、本発明のパチンコゲーム機の稼働管理装置によれば、パチンコゲーム機の稼働中に特賞用役物が停止する毎にその停止時間を測定し、停止時間の分布を示す分布データもしくは分布の分散度を示す分散指標をパチンコゲーム機毎に出力するように構成したので、それら分布データや分散指標に基づいて、特賞用役物が停止している停止時間のばらつきが大きいパチンコゲーム機を発見することができ、パチンコゲーム機の釘調整を適切に行うことにより、パチンコゲーム機の稼働を高めることができる。
【図面の簡単な説明】
【図１】本発明の一実施例の要部を示す機能ブロック図
【図２】全体の構成を示す概略図
【図３】パチンコゲーム機の盤面を示す正面図
【図４】「スタート停止時間の計時処理」を示すフローチャート
【図５】タイムチャート
【図６】「スタート停止時間の計時処理」により得られた比較表を示す図
【図７】「スタート連続時間の計時処理」を示すフローチャート
【図８】「スタート連続時間の計時処理」により得られた比較表を示す図
【符号の説明】
図面中、１はパチンコゲーム機、３は集中管理装置（稼働管理装置）、６は液晶表示器（特賞用役物）、７はスタート入賞口、１５は制御装置（稼働状況検出手段、動作状況検出手段、停止時間測定手段、出力手段）である。
【図１】
0004213266.tif 000002
【図２】
0004213266.tif 000003
【図３】
0004213266.tif 000004
【図４】
0004213266.tif 000005
【図５】
0004213266.tif 000006
【図６】
0004213266.tif 000007
【図７】
0004213266.tif 000008
【図８】
0004213266.tif 000009